(57)【要約】      （修正有）【課題】１回のキー操作で直近の機能を再現することが可能な再現機能を有する撮像装置を提供する。【解決手段】ユーザーが行った一連の操作による機能を実行した場合、実行された機能に対応して予め付与した情報として機能名を含む識別子（ＩＤ）を記録しておき、機能再現キーが押下された場合には、記憶されているＩＤを読み出し、ＩＤに対応する機能を実行する。これにより、予め一連のキー操作を記憶させておく必要がなくなり、１回のキー操作で直近の機能を再現することができる。さらに、ＩＤからは記憶されている機能名の情報も取得できるので、表示装置に機能名も表示することが出来る。【選択図】図１
2006135703.tif 000002
【特許請求の範囲】
【請求項１】
各種情報を表示するための表示手段と、前記表示手段に表示された情報を選択するための選択キーと、前記選択キーにより選択された情報から任意の機能を実行するための実行キーとを備えた撮像装置において、
前記任意の機能に対応して予め付与してある情報を記憶するための記憶手段と、前記記憶手段に記憶してある情報から前記任意の機能を実行するための機能再現キーを設け、
前記実行キーが押下された場合に前記任意の機能を実行するとともに前記任意の機能に対応して予め付与してある情報を前記記憶手段に記憶し、前記機能再現キーが押下された場合には前記記憶手段に記憶されている情報を元に直近の任意の機能を実行することを特徴とする機能の再現機能を有する撮像装置。
【請求項２】
請求項１記載の機能の再現機能を有する撮像装置において、前記任意の機能に対応して予め付与してある情報には少なくとも機能名を含み、前記記憶手段に記憶された場合は前記表示手段に前記機能名を表示することを特徴とする機能の再現機能を有する撮像装置。
【請求項３】
各種情報を表示するための表示手段と、前記表示手段に表示された情報を選択するための選択キーと、前記選択キーにより選択された情報から任意の機能を実行するための実行キーとを備えた撮像装置において、
前記任意の機能に対応して予め付与してある情報を記憶するための記憶手段と、前記選択キーにより選択された情報から任意の機能を実行するとともに前記任意の機能に対応して予め付与してある情報を前記記憶手段に記憶するための機能登録キーと、前記記憶手段に記憶してある情報から前記任意の機能を実行するための機能再現キーを設け、
前記実行キーが押下された場合は前記に任意の機能を実行し、
前記機能登録キーが押下された場合には前記任意の機能を実行するとともに前記任意の機能に対応して予め付与してある情報を前記記憶手段に記憶し、前記機能再現キーが押下された場合には前記記憶手段に記憶されている情報を元に直近の任意の機能を実行することを特徴とする機能の再現機能を有する撮像装置。
【発明の詳細な説明】
【技術分野】
【０００１】
本発明は、撮像装置の操作に関し、特に機能を繰り返し再実行する場合の操作性を向上するための技術に係わる。
【背景技術】
【０００２】
本願発明に関連するものとして以下の特許文献１がある。その特許文献１には、具体的には以下の記載がある。「所望の機能を少ないキー操作で容易に実行することができる携帯電話機を提供する」（特許文献１の要約の課題）ために、「複数の一連のキー操作に基づいて実行される機能を、１つのキー２３に記憶させて、該キー２３のキー操作により前記機能を実行させることを特徴とする携帯電話機１を構成する」（特許文献１の要約の解決手段）。
【０００３】
【特許文献１】特開平１１−２９８５７１号公報
【発明の開示】
【発明が解決しようとする課題】
【０００４】
ところで、電子機器や情報機器は小型化に多機能化にと進歩が著しく、その為操作も複雑になっている。ビデオカメラも例外ではなく、動画撮影の他に静止画の撮影、または編集などの作業もビデオカメラ本体で行う事が出来るようになっている。ビデオカメラの記録媒体の種類も従来のテープに記録するものから光ディスクに記録するビデオカメラも登場し、ますます機能が増えている。
【０００５】
一方、機器本体の小型化も進み、メニュー項目等の情報が表示される表示画面も小さくなっている。そのため、一度に多くの表示をすることができないので、機能を実行するためのメニュー項目を階層構成にして表示し、目的のメニュー項目を選択・実行することにより目的の機能を実行するようになっている。しかし、目的のメニュー項目が階層奥深くに配置されてしまっている場合もある。この場合、階層奥深くのメニュー項目を選択・実行するためには、階層を順を追って選択していき奥深くのメニュー項目まで辿り着く必要があり、目的のメニュー項目に辿り着き、実行するまでにはかなりのキー操作が発生する事となり、使い勝手が悪くなっている。
【０００６】
例えば、光ディスクを記録媒体としたビデオカメラの録画待機時に撮影・記録した動画や静止画の画像情報（以下、シーン）の中から１つのシーンを削除する場合を例として上げると、まず削除と言う編集作業を行う為に通常の録画待機状態の画面から編集用の画面へ移行する必要がある。そして編集用のメニュー画面を表示させ、表示されているメニュー項目中から「削除」の項目を選択し、選択した削除機能を実行する。削除機能が実行されると、シーンの削除をするためのシーンの代表である縮小画を一覧表示する削除シーン選択画面に移行する。表示されているシーンの縮小画の中から削除したいシーンを選択し、さらに削除を実行するとシーンが削除される。この例でのキー操作は、
１．編集用の画面へ移行させるキー操作
２．編集用の画面から編集用のメニュー画面へ移行させるキー操作
３．編集用のメニュー画面のメニュー項目から「削除」の項目を選択するキー操作
４．選択した削除機能を実行するキー操作
この後、画面表示は削除シーン選択画面に移行する
５．削除シーン選択画面から削除したいシーンを選択するキー操作、
６．選択されたシーンの削除を実行するキー操作
と最低でも６回のキー操作が必要である。
尚、上記では、編集用のメニュー画面に削除のためのメニュー項目がある場合で説明したが、削除の項目が階層深くにある場合には削除を選択するまでにさらにキー操作が増えることになる。
【０００７】
また、光ディスクを記録媒体としてこの光ディスクにシーンを記録するビデオカメラが登場しているが、この光ディスク記録のビデオカメラは、テープのビデオカメラとは異なりシーンの再生の為に巻き戻しの必要が無く、撮影したシーンを素早く再生することができる。そこで、上手に撮れていない場合などは、その場で上手に撮れなかった不要なシーンを削除して再び撮影をすることが行えるようになっている。またここで、不要なシーンが複数ある場合には削除のための操作を繰り返すことで行っている。しかしながら、キー操作の操作性の面では、上述したシーンを削除する操作を繰り返す場合には、複数回のキー操作を常に繰り返し行う事となり、操作性が悪く使い勝手が悪いという問題があった。
【０００８】
なお、上記特許文献１記載の従来技術では、一連のキー操作を記憶させる為には、操作記憶モードで登録したい一連のキー操作を予め入力しておかなければならないため、一連のキー操作を登録するという手間が掛かる点で操作性が悪いという問題がある。また、一連のキー入力情報を全て記憶する必要があるので、記憶部の記憶容量も大きくしなければならずコストアップになるという問題もあった。
【０００９】
本発明の目的は、ユーザーがメニュー項目で選択した機能を実行した場合、実行された機能に対応して予め付与した情報として機能名を含む識別子（以下、ＩＤ）を記憶しておき、その後機能再現キーが押下された場合には、記憶されているＩＤを読み出し、ＩＤに対応する機能を実行する事で、予め一連のキー操作を記憶させておく必要がなくなり、１回のキー操作で直近の機能を再現することが可能な機能の再現機能を有する撮像装置を提供することにある。
【課題を解決するための手段】
【００１０】
上記課題を解決するために、本第１の発明は、各種情報を表示するための表示手段と、前記表示手段に表示された情報を選択するための選択キーと、前記選択キーにより選択された情報から任意の機能を実行するための実行キーとを備えた撮像装置において、前記任意の機能に対応して付与してある情報を記憶するための記憶手段と、前記記憶手段に記憶してある情報から前記任意の機能を実行するための機能再現キーを設け、前記実行キーが押下された場合に前記任意の機能を実行するとともに前記任意の機能に対応して予め付与してある情報を前記記憶手段に記憶し、前記機能再現キーが押下された場合には前記記憶手段に記憶されている情報を元に直近の任意の機能を実行することを特徴とする。これにより、予めユーザーが登録したいキー操作を操作登録モードに入れて順次キー操作をすることにより記憶させるという手間を要する事無く機能を記憶することが出来、その記憶された機能はボタン１つで直近の機能を再現することが出来るので、操作性が向上する。また、機能に対応した情報として付与した識別子（ＩＤ）で機能を記憶することで操作手順全てを記憶するためのメモリ領域を確保する必要が無くメモリ領域の増加を抑えることができる。
【００１１】
さらに、請求項１記載の機能の再現機能を有する撮像装置において、前記任意の機能に対応して予め付与してある情報には少なくとも機能名を含み、前記記憶手段に記憶された場合は前記表示手段に前記機能名を表示することを特徴とする。これにより、機能名も記憶されているので表示手段で操作名を確認することが出来るので、ユーザーの操作時の勘違いを抑制することが出来る。
【００１２】
第２の発明は、各種情報を表示するための表示手段と、前記表示手段に表示された情報を選択するための選択キーと、前記選択キーにより選択された情報から任意の機能を実行するための実行キーとを備えた撮像装置において、前記任意の機能に対応して予め付与してある情報を記憶するための記憶手段と、前記選択キーにより選択された情報から任意の機能を実行するとともに前記任意の機能に対応して予め付与してある情報を前記記憶手段に記憶するための機能登録キーと、前記記憶手段に記憶してある情報から前記任意の機能を実行するための機能再現キーを設け、前記実行キーが押下された場合は前記任意の機能を実行し、前記機能登録キーが押下された場合には前記任意の機能を実行するとともに前記任意の機能に対応して予め付与してある情報を前記記憶手段に記憶し、前記機能再現キーが押下された場合には前記記憶手段に記憶されている情報を元に直近の任意の機能を実行することを特徴とする。これにより機能登録キーを押下した場合は機能に対応した識別子（ＩＤ）を記憶し、実行キーを押下した場合は機能に対応した識別子（ＩＤ）を上書きしないように出来る。このため、後で再現したい機能を機能登録キーを押下して実行と共に記憶しておけば、直近に再現不要な機能を実行しても、機能再現キーの１回の押下により希望の機能が再現可能となり、操作性が向上する。
【発明の効果】
【００１３】
本発明によれば、撮像装置において、ユーザーがメニュー項目で選択した機能を実行した場合、実行された機能に対応して予め付与した情報として機能名を含む識別子（以下、ＩＤ）を記憶しておき、その後機能再現キーが押下された場合には、記憶されているＩＤを読み出し、ＩＤに対応する機能を実行する事で、予め一連のキー操作を記憶させておく必要がなくなり、１回のキー操作で直近の機能を再現することが可能となる。そのため、操作性が向上する。さらに、記憶されている機能名も表示装置に表示することが出来るので、ユーザーの操作時の勘違いを抑制することが出来る。また、ＩＤに対応した機能を直接起動することが出来るので、ユーザーが行った一連のキー操作を順次記憶する必要が無いので、メモリ領域の増加を抑えることができる。
【発明を実施するための最良の形態】
【００１４】
以下、本発明による一実施例を図を用いて説明する。
【実施例１】
【００１５】
図１、図２、図３、図６、図７、図８、図９、図１０、図１１、図１２を用いて本発明を撮像装置の一例であるビデオカメラで用いた場合の一実施例を説明する。
【００１６】
まず、本発明によるビデオカメラにおける構成及び動作を図１を用いて説明する。図１は本発明を用いた例であるビデオカメラの構成図である。図１において、１０１は撮像装置、１０２はデジタル映像処理部、１０３は記録処理部、１０４はキー操作部、１０５は操作実行キー（決定キー）、１０６は機能再現キー、１０７は制御部、１０８は記憶部、１０９はＩＤ記憶部、１１０は記録媒体、１１１はメニュー等の画面生成部、１１２は再生処理部、１１３は映像信号データ処理部、１１４は表示装置である。
【００１７】
まず、記録時及び再生時について説明する。記録時、撮影装置１０１で撮影された映像信号はデジタル映像処理部１０２にてデジタル変換及び各種信号処理及び符号化され、映像データ（シーン）として記録処理部１０３を介して管理情報とともに記録媒体１１０に記憶される。再生時は、記録媒体１１０に記録されている管理情報を元にメニュー等の画面生成部１１１及び映像信号データ処理部１１３を介して表示装置１１４に表示された縮小画の一覧から、目的の映像データ（シーン）の縮小画をキー操作部１０４により選択及び再生の操作を行うと、記録媒体１１０から対応する映像データ（シーン）を読み出し、再生処理部１１２及び映像信号データ処理部１１３を介してアナログの映像信号として表示装置１１４にて表示する。
【００１８】
次に、本発明に係わる機能の再現時について説明する。ここでは、記憶されている映像データ（シーン）を削除する場合で説明する。
【００１９】
ユーザーは、撮影・記録が終了すると、キー操作部１０４のキー操作により、１）録画待機状態の画面から編集モード用の画面への移行、２）編集モード用のメニュー画面への移行、３）表示装置１１４に表示されているメニュー項目中から「削除」の項目を選択するとともに削除機能に対応したＩＤ及び機能名「シーン削除」をＩＤ記憶部１０９に記憶、４）選択した「削除」を実行するために操作実行キー１０５を押下すると削除機能が実行され削除シーン選択画面に移行する。その後、５）表示装置１１４に表示されているシーンの縮小画中から削除したいシーンを選択し、６）操作実行キー１０５を押下すると映像データ（シーン）が削除されるとともに録画待機状態の画面に戻る。ここで、記憶した機能名「シーン削除」を表示装置１１４に表示させる。
【００２０】
その後、ユーザーが映像データ（シーン）の削除を行いたくなった場合は、直近の機能である「シーン削除」の機能名が表示装置１１４に表示されているので、この表示を確認し、機能再現キー１０６を押下すると、ＩＤ記憶部１０９に記憶されているＩＤを読み出しＩＤに対応する削除機能を実行することにより削除シーン選択画面に移行する。その後は上記と同様に表示装置１１４に表示されているシーンの中から削除したいシーンを選択し、操作実行キー１０５を押下すると映像データ（シーン）が削除される。
【００２１】
このように、映像データ（シーン）を削除する場合、削除シーン選択画面を表示させるまでに、少なくとも４回のキー操作が必要であったものが、操作実行キー１０６押下の１回のキー操作で直近の機能を再現できるので、操作性が向上できる。また、予め一連のキー操作を記憶させておく必要もない。また、ユーザーが行った一連のキー操作を順次記憶する必要が無いので、メモリ領域の増加を抑えることができる。さらに、表示装置１１４に記憶されている機能名も表示することが出来るので、ユーザーの操作時の勘違いを抑制することが出来る。
【００２２】
次に、本発明による直近の機能を再現する処理の流れを図２、図３を用いて説明する。図２は機能を記憶するまでの処理の流れを示したフローチャート、図３は記憶された機能を再実行するまでの処理の流れを示したフローチャートである。
【００２３】
図２を用いて機能を記憶する処理の流れを説明する。ここでは、記憶されている映像データ（シーン）を削除する場合で説明する。ユーザーが、撮影・記録終了後、キー操作部１０４により行われた録画待機状態の画面から編集モード用の画面への移行のためのキー操作があると（ステップＳ２０１）、ステップＳ２０２にてステップＳ２０１での操作に対応するＩＤが付与されているかどうかの判別が行われる。このキー操作の場合には、ＩＤが確認されないのでステップＳ２０１での操作が完了されていないと見なされステップＳ２０１に戻り次のキー操作を待つ。編集モード用のメニュー画面への移行のためのキー操作の場合も同様に、付与されたＩＤがないので、ステップＳ２０１に戻る。次に表示装置１１４に表示されている編集モード用のメニュー画面のメニュー項目中から「削除」の項目を選択した場合は、ステップＳ２０２にてＩＤが付与されていると判断されるので、操作完了と見なしステップＳ２０３にて操作実行キー１０５のキー操作が行われるのを待つ。ステップＳ２０３にて操作実行キー１０５のキー操作を確認するとステップＳ２０４にて動作モード及び表示状態の情報を含むＩＤ及び機能名「シーン削除」がＩＤ記憶部１０９に記憶されると共に操作による削除機能が実行され、ステップＳ２０５で削除シーン選択画面が表示され削除機能実行処理は終了する。その後、ステップＳ２０６で表示装置１１４に表示されているシーンの中から削除したいシーンを選択し、ステップＳ２０７で操作実行キー１０５を押下すると映像データ（シーン）の削除が実行される。その後、ステップＳ２０８で、録画待機状態の画面に戻ると共にＩＤ記憶部１０９に記憶されている機能名「シーン削除」を表示装置１１４に表示する。
【００２４】
尚、ステップＳ２０４にてＩＤ及び機能名を記憶するときに、すでにＩＤ記憶部１０９にＩＤ及び機能名が記憶されている場合は、すでに存在しているＩＤ及び機能名に新しいＩＤ及び機能名が上書きされる。
【００２５】
ここで、このＩＤは全ての操作やメニュー項目に付与するのではなく、ユーザーが操作実行キー１０５を押した時に機能を実行することの出来る機能項目に予め付与している。このような構成とすることで、全ての機能にＩＤを付与しないので、管理するＩＤの個数を軽減することが出来る。
【００２６】
次に、図３、図９を参照して記憶されたＩＤが機能再現キー１０６にて呼び出され機能が実行されるまでの処理の流れを説明する。図９は表示装置１１４に実行不可の表示がされた表示例である。上記ステップＳ２０８において表示装置１１４に表示された機能名が所望の機能「シーン削除」である場合、ステップＳ３０１にて機能再現キー１０６のキー操作が行われると、ステップＳ３０２でＩＤ記憶部１０９から制御部１０７によりＩＤが呼び出される。ステップＳ３０２にて呼び出されたＩＤはステップＳ３０３で動作モード（動画モード／静止画モード）の確認が行われる。ステップＳ３０３ではＩＤ記憶部１０９に記憶されているＩＤの動作モードと現在の本ビデオカメラの動作モードとを比較する。ステップＳ３０３で動作モードが異なり機能が再現できない、「ＮＧ」と判断されると、ステップＳ３０７で機能再現キー１０６のキー操作が無効化され機能は再現されないと共に表示装置１１４にその旨を表示する。例えば、動画モードの時に静止画の画質を変更する機能の再現を行おうとしたときは、図９のように表示装置１１４に「このモードでは機能を実行することが出来ません。」等のメッセージを表示する。このメッセージは例であり、このコメントの内容に限定されるものではない。
【００２７】
ステップＳ３０３で動作モードの比較により機能の実行が可能「ＯＫ」と判断されるとステップＳ３０４へ進む。シーン削除機能の場合は動画モードでも静止画モードでも機能の実行が可能であるので、ステップＳ３０４で本ビデオカメラのメニュー画面の表示モードの状態の確認が行われる。ステップＳ３０２で呼び出されたＩＤからカメラ設定モード用のメニュー画面表示なのか、編集モード用のメニュー画面表示なのかの情報を得て、現在のカメラの表示モードの状態と比較し機能が実行できるかの判断を行う。ステップＳ３０４にて表示モードの状態が同じで機能の実行が可能「ＯＫ」と判断されると、ステップＳ３０５に進む。表示モードの状態が異なり機能の実行が不可能「ＮＧ」と判断されるとステップＳ３０８へ進む。
【００２８】
ステップＳ３０４にて表示モードの状態が編集モード用のメニュー画面表示になっている場合には、シーン削除機能が実行可能と判断されるのでステップＳ３０５でＩＤに対応した機能が実行される。ステップＳ３０６で機能再現キー１０６のキー操作により記憶されたＩＤに対応した機能である削除シーン選択画面が表示され削除機能実行処理は終了する。以降は、上述ステップＳ２０６及びＳ２０７と同様な処理により、映像データ（シーン）の削除が実行される。
【００２９】
ステップＳ３０４にて表示モードの状態がカメラ設定モード用のメニュー画面表示になっている場合には、シーン削除機能の実行が不可能と判断されるので、ステップＳ１１で機能が実行できる状態の表示モードに変更するための判別を行う。ステップＳ３０８にて現在のカメラの状態がカメラ設定モードと判断されると、記録されているＩＤのカメラのメニュー画面の表示モードの状態は編集モードなので、現在のカメラの表示モードの状態をステップＳ３１２にて編集モードへ変更し、ステップＳ３１３にて制御部１０７により記憶されたＩＤに対応した機能が実行される。ステップＳ３１４で機能再現キー１０６のキー操作により記憶されたＩＤに対応した機能である削除シーン選択画面が表示され削除機能実行処理は終了する。以降は、上述ステップＳ２０６及びＳ２０７と同様な処理により、映像データ（シーン）の削除が実行される。
【００３０】
また、ステップＳ３０８にて現在のカメラの表示モードの状態が編集モードと判断され、記憶されているＩＤのカメラの表示モードの状態がカメラモードであるときは、現在のカメラの表示モードの状態をステップＳ３０９にてカメラモードへ変更し、ステップＳ３１０にて制御部１０７により記憶されたＩＤに対応した機能が実行される。ステップＳ３１１で機能の実行処理が終了する。
【００３１】
以上、図１、図２、図３、図９を用いて機能に対応したＩＤがＩＤ記憶部９に記憶され、機能再現キー６によって機能が再現実行するまでの流れを示した。このような構成とすることで、操作の記憶モードに一度入る事が無くとも、ユーザーが行った機能を記憶しておき、機能再現キー１０６の１回のキー操作にて記憶されている機能を実行することが出来る。
【００３２】
ここで、本発明による機能再現キー１０６を用いない場合と用いた場合との操作及び処理の流れの違いを説明する。図１１は機能再現キー１０６を用いないで削除機能を実行した場合の例の処理の流れを示したフローチャート、図１２は機能再現キー１０６を用いて削除機能を実行した場合の例の流れを示したフローチャートである。
【００３３】
まず、図１１を用いて、機能再現キー１０６を用いないで削除機能を実行した場合の例のキー操作及び処理の流れを説明する。ユーザーが、撮影・記録終了後、映像データ（シーン）の削除を行う為にステップＳ１１０１で録画待機状態の画面から編集モード用の画面への移行のためのキー操作（ボタン押下）が行われると、編集モード用の画面に移行する。ステップＳ１１０２にて編集モード用のメニュー画面への移行のためのキー操作（ボタン押下）が行われると、編集モード用のメニュー画面が表示される。ステップＳ１１０３で表示された編集モード用のメニュー画面のメニュー項目中から「削除」の項目を選択する。削除の項目を選択したらステップＳ１１０４で操作実行キー１０５を押下して削除機能を実行する。このとき表示装置１１４に削除シーン選択画面が表示されるので、ステップＳ１１０５にて削除するシーンを選択する。そして、ステップＳ１１０６にて操作実行キー１０５を押下して選択したシーンの削除を実行する。このように、本実施例の例では削除機能を実行するまでにキー操作がステップＳ１１０１からＳ１１０４までの４回発生している。
【００３４】
これに対し、本発明による機能再現キー１０６を用いた場合を、図１２を用いて説明する。まずステップＳ１２０１で機能再現キー１０６を押下すると、ＩＤ記憶部１０９に記憶してあるＩＤを元に削除機能が実行され削除シーン選択画面まで一気に移行する。そしてステップＳ１２０２にて削除シーンを選択してステップＳ１２０３で操作実行キー１０５を押下してシーンの削除を実行する。このように機能再現キー１０６を用いると削除機能を実行するまでのキー操をステップＳ１２０１の１回に軽減することが出来、操作性が向上する。また、予め一連のキー操作を記憶しておく手間も不要であり、使い勝手が良い。また、ＩＤに対応した機能を直接起動することが出来るので、ユーザーが行った一連のキー操作を順次記憶する必要が無いので、操作を記憶する為の確保するメモリ領域の増加を抑えることができる。
【００３５】
尚、図１１のステップＳ１１０３では削除機能は１回のキー操作で選択されたことになっているが、カーソル等を移動して削除機能を選択する表示構成になっている場合には、さらにキー操作の回数が軽減される。
【００３６】
ここで、図６の表を用いて予め付与されているＩＤの構成について詳細な一実施例を述べる。ＩＤは、機能に対応して機能名と本ビデオカメラの状態を表す情報と機能を表す情報と登録ナンバーで構成されている。本ビデオカメラの状態とは、動画撮影モードや静止画撮影モード等の動作モードや、撮影する動画の画質などを変更することの出来るカメラ設定用モード用のメニュー表示（以下カメラモードメニューとする）や、編集・再生などの設定できる編集用モード用のメニュー表示（以下編集モードメニューとする）等を指す。また、機能名は表示装置１１４に表示するための情報である。ここで、モードの項目としては動画撮影モードの情報を「Ｍ」及び静止画撮影モードの情報を「Ｐ」を、メニューの項目としてはカメラモードメニューの情報を「Ｃ」及び編集モードメニューの情報を「Ｅ」としている。例えば、映像データ（シーン）の削除機能の場合は、モードの項目としては動画撮影モードと静止画撮影モードの両モードで実行出来る機能なので「ＭＰ」、メニュー項目としては、編集モードメニューから実行出来る機能なので「Ｅ」、シーン削除を表す登録ナンバーとした「０１５」が付与されている。これを組み合わせて、シーン削除の場合はＩＤを「ＭＰＥ０１５」として、操作実行キー１０５が押下された場合ＩＤ記憶部１０９に記憶しておき、機能再現キー１０６が押下された場合この「ＭＰＥ０１５」のＩＤを元にシーンの削除機能を再現する。尚、動画撮影モードのカメラメニュー動画画質変更のＩＤは「ＭＣ００１」、静止画撮影モードのカメラメニュー静止画質変更のＩＤは「ＰＣ００２」となっている。
【００３７】
このように、ＩＤの情報として機能だけではなく動作モード、表示の状態の情報を同時に記憶している。これにより、上記図３で説明したように、動作モードの違いや表示の状態の違いがあった場合でも、再現したい機能を再現したり、注意表示をしたり出来、使い勝手がよくなる。
【００３８】
尚、ＩＤの情報として機能の情報だけでも構わないし、他の情報を含んでも構わない。
【００３９】
次に、図７と図８及び図９を用いて記憶されたＩＤの機能名が表示装置１１４に表示される一実施例を示す。図７はカメラスルー画の状態（録画待機状態）に表示装置１１４に表示される表示例、図８ははカメラ設定モード用のメニュー表示として表示装置１１４に表示される表示例、図９は録画待機状態に表示装置１１４に実行不可の表示がされた表示例である。図７、図８、図９において、７０１は記録モード、７０２はカメラの動作状態（記録中または記録待機常態）、記録時間および記録残量時間、７０３は記録媒体の種類と画質モード、７０４は日付と時刻、７０５はＩＤ記憶部１０９に記憶されている機能名、８０１はメニュータイトル、８０２はメニュー項目、８０３は使用キー表示、８０４はＩＤ記憶部１０９に記憶されている機能名、９０１は記録モード、９０２はカメラの動作状態（記録中または記録待機常態）、記録時間および記録残量時間、９０４は記録媒体の種類と画質モード、９０５は日付と時刻、９０６は静止画画質変更の機能がＩＤ記憶部１０９に記憶されているときの機能名、９０３は実行不可の表示である。これらは、記憶されたＩＤの機能名が表示装置１１４に表示される一実施例の図であり、表示装置１１４の空いているスペースを利用し記憶されたＩＤの機能名を表示する。このような構成とすることで記憶された機能が何であるかを確認することが出来ユーザーの勘違いを抑制することが出来る。また、図９のように実行付加の表示９０３として「このモードでは機能を実行することが出来ません。」等のメッセージを表示することにより、ユーザーに注意を喚起することが出来る。
【００４０】
ここで、図１０を用いて機能再現キーをビデオカメラに設置した場合の外観を説明する。図１０は機能再現キーを設置したビデオカメラの実施例の概略図である。図１０において、１００１はレンズ部、１００２はＥＶＦ（Ｅｌｅｃｔｒｉｃ  Ｖｉｅｗ  Ｆｉｎｄｅｒ）、１００３は表示部、１００４〜１００７はキー操作ボタン、１００８は機能再現キー、１００９は操作実行（決定）キー、１０１０はバッテリーパック、１０１１はジョイスティックである。１００４〜１００７の操作に使用するボタンの中に、機能再現キー１００８を配置することにより、他のボタンとの操作性を損なう事が無く機能再現キー１００８を使用することが出来る。すなわち、ユーザーは操作実行キー１００９を押下して実行した機能を、表示部１００３に表示されている機能名を確認し、機能再現キー１００８を押下することにより、直近の機能を再現でき、操作性が向上する。
【００４１】
また、実施例１では複数のモードを通して１つのＩＤを記憶するようにしているが、モードごとに記憶しても構わない。その場合は、ＩＤ記憶部１０９にモードごとに複数のＩＤを記憶できる構成とし、表示装置１１４にモードごとに直近に記憶された機能名を表示し、機能再現キー１０６の押下により直近の機能を再現することが出来る。この場合ステップＳ３０３の操作は省くことが可能である。
【実施例２】
【００４２】
実施例１では記憶されるＩＤは操作・機能実行が行われると上書きされてしまう構成となっていたが、上書きされないような構成としても良く、本発明によるビデオカメラにおける第２の実施例を図４、図５を用いて説明する。
【００４３】
図４は操作を記憶させるために登録キーを設けた第２の実施例の場合のビデオカメラの構成図、図５は操作を記憶させるための第２の実施例の処理の流れを示したフローチャート図である。尚、実施例１と同等な部分の説明はここでは省略する。
【００４４】
図４において、４０１は撮像装置、４０２はデジタル映像処理部、４０３は記録処理部、４０４はキー操作部、４０５は操作実行キー、４０６は機能再現キー、４０７は機能登録キー、４０８は制御部、４０９は記憶部、４１０はＩＤ記憶部、４１１は記録媒体、４１２はメニュー等の画面生成部、４１３は再生処理部、４１４は映像信号データ処理部、４１５は表示装置である。キー操作部４０４には、選択した機能を実行するための操作実行キー４０５と、機能を再現するための機能再現キー４０６と、選択した機能を実行するとともにＩＤ記憶部４１０に機能に対応したＩＤを記憶するための機能登録キー４０７とを設ける。実施例１との違いは、機能登録キー４０７の追加と、操作実行キー４０５押下時はＩＤを記憶しないことである。後で再現したい機能は機能登録キー４０７の押下により機能実行と共にＩＤを記録し、再現不要な機能は操作実行キー４０５の押下により機能実行をすることにより、直近に再現不要の機能を実行した後でも、機能再現キー４０６の１回の押下により希望の機能が再現可能となり、操作性が向上する。
【００４５】
図５において、キー操作部４０４により行われた操作は図２のステップＳ２０１、Ｓ２０２と同様に、ステップＳ５０１とステップＳ５０２にて操作完了を判断される。ステップＳ５０２で操作完了と見なされるとステップＳ５０３にて操作実行キー４０５か機能登録キー４０７のキー操作が行われるのを待つ。ステップＳ５０３にて機能登録キー４０７にて操作が決定された場合は、ステップＳ５０４に移行し、ＩＤを制御部４０８によりＩＤ記憶部４１０に記憶するとともに機能が実行され、ステップＳ５０５で機能実行処理は終了する。削除機能を例とすると、ここで削除シーン選択画面が表示され削除機能実行処理が終了することとなる。ステップＳ５０３にて操作実行キー４０５にて操作が決定されると、ステップＳ５０６に移行しＩＤを記憶することなく制御部４０８により操作が実行され、ステップＳ５０７で機能実行処理が終了する。削除機能を例とすると、ここで削除シーン選択画面が表示され削除機能実行処理は終了する。実施例１では操作実行キーのキー操作が行われると自動的にＩＤがＩＤ記憶部４１０に記憶されたが、ここではＩＤを記憶する時に機能登録キー４０７のキー操作を行うことによって初めてＩＤ記憶部４１０にＩＤが記憶される構成となっている。機能再現キー４０６によっての機能再現の流れ等は実施例１と変わらないのでここでは省略する。
【００４６】
このような機能登録キー４０７を設けても上述の構成とすることで、ＩＤは常に上書きされこともなくユーザーが必要に応じて操作した機能を記憶させることを可能にすることが出来る。
【００４７】
以上、本発明の実施例をビデオカメラにて示したが、上記の構成または形態に限定される物ではなく本発明の要旨を逸脱しない範囲で様々な構成が考えられる。
【００４８】
また、今回使用したＩＤの構成または書式はあくまで例であり、それぞれのカメラの状態やメニュー項目等を識別出来るような構成であれば、ＩＤはこの例の構成に限定される物ではない。
【００４９】
図７、図８、図９においての表示内容や表示位置はあくまで例であり、この表示内容や表示位置が限定されるものではない。
【００５０】
図３においてのステップＳ３０３とステップＳ３０４の状態判断は、ビデオカメラの操作や機能の構成により判断の順序を変更、ビデオカメラの機能や構成を増減させた場合等、判断の項目を増減させる等をしてもよい。あくまで、ステップＳ３０３とステップＳ３０４では、現在のビデオカメラの状態を判断し、記憶されたＩＤの操作が実行できない場合は実行しない。または、現在の状態で実行出来る場合は機能を実行し、このままの状態では実行出来ずビデオカメラの状態の変更が必要な場合は実行出来るように現在のビデオカメラのモード等状態を変更することで、記憶されたＩＤの操作を実行するための判断、状態の変更を行う為の判断を行う箇所である。ビデオカメラの状態の判断や、比較の順序・項目はこの手順・項目に限定されるものではなく、常に実行出来る機能の場合はこの判断項目が無くても良い。
【００５１】
図１０のキー配置や機能再現キー１００８以外のボタンの個数などは、あくまで例であり、個数や配置場所が限定されるものではない。しかし、機能再現キー１００８は通常の操作に使うボタンの近くに配置するほうが操作性を損なう事が無く、解り易く好ましい。
【００５２】
また、本発明での機能再現キー１００８の個数は１個などキーの個数が限定されるものではなく複数個あってもよい。そのときは記憶することの出来るＩＤはキーの個数分だけあり、記憶することの出来るＩＤの個数が超過した場合は、古いＩＤから順に上書きするような構成としても良い。
【００５３】
以上の実施例は撮像装置に限らず、機能を実行する為にメニュー等のキー操作を有する電子機器でも利用は可能である。しかしながら、ビデオカメラのように画面や釦の制限がある装置に適用する方が、より好適である。
【図面の簡単な説明】
【００５４】
【図１】本発明を適用した例であるビデオカメラの構成図である。
【図２】機能を記憶するまでの処理の流れを示したフローチャート図である。
【図３】記憶された機能を実行するまでの処理の流れを示したフローチャート図である。
【図４】操作を記憶させるために登録キーを設けた第２の実施例の場合のビデオカメラの構成図である。
【図５】操作を記憶させるための第２の実施例の処理の流れを示したフローチャート図である。
【図６】ＩＤの構成をまとめた表である。
【図７】録画待機状態に表示装置に表示される表示例である。
【図８】カメラ設定モード用のメニュー表示として表示装置に表示される表示例である。
【図９】録画待機状態に表示装置に実行不可の表示がされた表示例である。
【図１０】ビデオカメラに機能再現キーを実装した場合の外観図である。
【図１１】機能再現キーを用いないで削除機能を実行した場合の例の流れを示したフローチャート図である。
【図１２】機能再現キーを用いて削除機能を実行した場合の例の流れを示したフローチャート図である。
【符号の説明】
【００５５】
１０１．撮像装置、１０２．デジタル映像処理部、１０３．記録処理部、
１０４．キー操作部、１０５．操作実行キー、１０６．機能再現キー、１０７．制御部、
１０８．記憶部、１０９．ＩＤ記憶部、１１０．記録媒体、
１１１．メニュー等の画面生成部、１１２．再生処理部、
１１３．映像信号データ処理部、１１４．表示装置、４０１．撮像装置、
４０２．デジタル映像処理部、４０３．記録処理部、４０４．キー操作部、
４０５．操作実行キー、４０６．機能再現キー、４０７．機能登録キー、
４０８．制御部、４０９．記憶部、４１０．ＩＤ記憶部、４１１．記録媒体、
４１２．メニュー等の画面生成部、４１３．再生処理部、
４１４．映像信号データ処理部、４１５．表示装置、７０１．記録モード、
７０２. カメラの動作状態（記録中または記録待機常態）、記録時間および記録残量時間、７０３．記録媒体の種類と画質モード、７０４．日付と時刻、
７０５．記憶されている機能名、８０１．メニュータイトル、８０２．メニュー項目、
８０３．使用キー表示、８０４．記憶されている機能名、９０１．記録モード、
９０２. カメラの動作状態（記録中または記録待機常態）、記録時間および記録残量時間、９０３．実行不可の表示、９０４．記録媒体の種類と画質モード、
９０５．日付と時刻、９０６．記憶されている機能名、１００１．レンズ部、
１００２．ＥＶＦ、１００３．表示部、１００４〜１００７．キー操作ボタン、
１００８．機能再現キー、１００９．操作実行（決定）キー、
１０１０．バッテリーパック、１０１１．ジョイスティック
【図１】
2006135703.tif 000003
【図２】
2006135703.tif 000004
【図３】
2006135703.tif 000005
【図４】
2006135703.tif 000006
【図５】
2006135703.tif 000007
【図６】
2006135703.tif 000008
【図７】
2006135703.tif 000009
【図８】
2006135703.tif 000010
【図９】
2006135703.tif 000011
【図１０】
2006135703.tif 000012
【図１１】
2006135703.tif 000013
【図１２】
2006135703.tif 000014